(57)【要約】【課題】アンテナの破損を生じにくく、かつアンテナの収納及び収納解除の容易な携帯無線機を提供すること。【解決手段】本発明の携帯無線機は、アンテナ２と、アンテナ２を収納可能な溝部３１がいずれかの面に形成された筐体３と、を備え、溝部３１は上記面に含まれるいずれかの辺を貫通して貫通部３２を形成するように形成され、貫通部３２の存在する側を上方９１とし溝部３１の開口側を後方９２としたときに、アンテナ２の根本部分には左右方向へ突出した一対の突出部２４、２５が形成され、この一対の突出部２４、２５が溝部３１のうち上方９１に位置する壁面３６に設けられた一対の穴部３４、３５に挿入されることにより、アンテナ２が筐体３の後方９２側を通過しながら上方９１側と溝部３１との間で回動可能に一体化されたことを特徴とする。【選択図】図３
2015154366.tif 000002
【特許請求の範囲】
【請求項１】
アンテナと、前記アンテナを収納可能な溝部がいずれかの面に形成された筐体と、を備え、前記溝部は前記面に含まれるいずれかの辺を貫通して貫通部を形成するように形成され、この貫通部の存在する側を上方とし前記溝部の開口側を後方としたときに、前記アンテナの根本部分には左右方向へ突出した一対の突出部が形成され、この一対の突出部が前記溝部の上方に位置する壁面に設けられた一対の穴部に挿入されることにより、前記アンテナが前記筐体の後方側を通過しながら上方側と前記溝部との間で回動可能に一体化されたことを特徴とする携帯無線機。
【請求項２】
前記溝部に収納された状態で前記アンテナの先端が下方を向くことを特徴とする請求項１記載の携帯無線機。
【請求項３】
前記一対の穴部が前記溝部の上端よりも下方側に形成され、前記アンテナを回動させて前記溝部から取り出した際に、前記アンテナの根本付近が前記溝部の底面に当接することにより、前記アンテナが上方へ突出した姿勢で回動停止することを特徴とする請求項１又は２記載の携帯無線機。
【請求項４】
使用者とのインターフェースとなる表示部を備え、この表示部が前方側に存在することを特徴とする請求項１から３のいずれか１項記載の携帯無線機。
【発明の詳細な説明】
【技術分野】
【０００１】
本発明は、携帯無線機に関するものである。
【背景技術】
【０００２】
観光案内や観劇解説の際のガイド用機器として、無線ガイドシステムがある。このシステムでは、送信側機器と受信側機器とからなる携帯無線機が用いられ、観光案内を例にとると、観光案内人等の解説者が送信側機器に備え付けられたマイクに向かって話しかけた内容が、受信側機器に備え付けられた耳掛け式イヤホン等の受話装置を通して観光客に届けられる仕組みとなっている。こうした無線ガイドシステムでは、約５０〜６０ｍの広いエリアをカバーでき、複数の通信路を切り替えて運用することが可能である。
【０００３】
このような無線ガイドシステムにおける受信側機器では、携帯性を向上させるとの観点からコンパクトであることが求められる。そこで、受信側機器においては、送信側機器から離れていない場所ではアンテナを本体の内部や側面などの邪魔にならない場所に収納した状態で受信可能としておき、送信側機器から離れた場所では収納されていたアンテナを取り出して感度を高めるという工夫がなされている。アンテナの収納状態を解除する方法は種々あるが、一例として、機器の上部に突出したアンテナの先端部を引き出すことにより機器の内部に収納されたアンテナを引き延ばす方式や、本体の上面や側面に沿わせて収納配置しておいたアンテナを上方へフリップ（回動）させる方式等が挙げられる。
【０００４】
こうしたアンテナの収納方式の一例として、例えば特許文献１には、棒状である第一のアンテナと、らせん状に収納されてコンパクトな第二のアンテナとをＬ字型に結合させ、両者の結合部を回動自在としておくことにより、第一のアンテナを収納しているときにはコンパクトな第二のアンテナで通信可能とし、高い感度が要求される場面では、第二のアンテナを回動させることにより第一のアンテナを取り出して通信することのできる携帯無線機が提案されている。
【０００５】
また、特許文献２には、回動自在に支持されたアンテナを筐体内に収納しておき、必要に応じて、このアンテナを回動させて収納解除させることのできる携帯無線機が提案されている。
【先行技術文献】
【特許文献】
【０００６】
【特許文献１】特開平９−２６０９２１号公報
【特許文献２】特開２００４−２２８７９０号公報
【発明の概要】
【発明が解決しようとする課題】
【０００７】
ところで、受信側機器は、機器の保証金と案内料とを利用者から徴収した上で、その利用者にレンタルで供給されるのが一般的である。一台の機器は、長い期間にわたって多くの利用者にレンタルされることになるが、利用者の不注意によって破損を生じることも少なくない。特に、アンテナはこのような破損を生じ易い部位の一つであり、収納状態のアンテナを不用意に取り出したときや、収納解除されたアンテナに何らかの外力が加わった場合等において折損や部品の離脱等の破損を生じがちである。特に、アンテナと筐体との結合部が筐体上部に突出して設けられている場合には、アンテナの根本部分における破損を生じやすい。
【０００８】
特許文献２に記載された携帯無線機ではこのような点も考慮されており、アンテナと筐体との結合部においてアンテナ離脱手段を形成しておくことにより、収納解除されたアンテナに外力が加わったときにこれを筐体から離脱させ、アンテナの折損を抑制している。
【０００９】
本発明は、以上の状況に鑑みてなされたものであり、アンテナの破損を生じにくく、かつアンテナの収納及び収納解除の容易な携帯無線機を提供することを目的とする。
【課題を解決するための手段】
【００１０】
本発明者は、上記の課題を解決するために鋭意検討を重ねた結果、携帯無線機においてアンテナを収納するための溝部を筐体の表面に設け、収納されたアンテナを上記溝部から取り出すときに半円を描くようにアンテナをフリップ（回動）させる構成とし、かつ、そのアンテナの根本部分に左右方向へ突出した一対の突出部を形成させ、この一対の突出部を上記溝部の上方に位置する壁面に設けられた一対の穴部に嵌まる構成とすることにより上記の課題が解決されることを見出し、本発明を完成するに至った。
【００１１】
本発明は、アンテナと、上記アンテナを収納可能な溝部がいずれかの面に形成された筐体と、を備え、上記溝部は上記面に含まれるいずれかの辺を貫通して貫通部を形成するように形成され、この貫通部の存在する側を上方とし上記溝部の開口側を後方としたときに、上記アンテナの根本部分には左右方向へ突出した一対の突出部が形成され、この一対の突出部が上記溝部のうち上方に位置する壁面に設けられた一対の穴部に挿入されることにより、上記アンテナが上記筐体の後方側を通過しながら上方側と上記溝部との間で回動可能に一体化されたことを特徴とする携帯無線機である。
【００１２】
上記溝部に収納された状態で上記アンテナの先端が下方を向くことが好ましい。
【００１３】
上記一対の穴部が上記溝部の上端よりも下方側に形成され、上記アンテナを回動させて上記溝部から取り出した際に、上記アンテナの根本付近が上記溝部の底面に当接することにより、上記アンテナが上方へ突出した姿勢で回動停止することが好ましい。
【００１４】
上記携帯無線機は、使用者とのインターフェースとなる表示部を備え、この表示部が前方側に存在することが好ましい。
【発明の効果】
【００１５】
本発明によれば、アンテナの破損を生じにくく、かつアンテナの収納及び収納解除の容易な携帯無線機が提供される。
【図面の簡単な説明】
【００１６】
【図１】図１は、本発明の一実施形態における携帯無線機を正面側からみた斜視図である。
【図２】図２は、本発明の一実施形態における携帯無線機におけるアンテナの構造を示す図であり、（ａ）は、アンテナの外観を表す斜視図であり、（ｂ）は、アンテナの分解図である。
【図３】図３は、本発明の一実施形態における携帯無線機を背面側からみた斜視図である。
【図４】図４は、本発明の一実施形態における携帯無線機において、アンテナが収納された状態を示す斜視図である。
【図５】図５は、本発明の一実施形態における携帯無線機において、アンテナが収納された状態を示す背面図である。
【発明を実施するための形態】
【００１７】
以下、本発明の携帯無線機１の一実施形態について、図面を参照しながら説明する。図１は、本発明の一実施形態における携帯無線機１を正面側からみた斜視図である。図２は、本発明の一実施形態における携帯無線機１におけるアンテナ２の構造を示す図であり、（ａ）は、アンテナ２の外観を表す斜視図であり、（ｂ）は、アンテナ２の分解図である。図３は、本発明の一実施形態における携帯無線機１を背面側からみた斜視図である。図４は、本発明の一実施形態における携帯無線機１において、アンテナ２が収納された状態を示す斜視図である。図５は、本発明の一実施形態における携帯無線機１において、アンテナ２が収納された状態を示す背面図である。
【００１８】
携帯無線機１は、筐体３の内部に無線機として必要な送受信回路等が実装された回路基板（図示せず）を備え、この回路基板（図示せず）におけるＲＦ送受信回路がアンテナ２に接続されてこれに給電を行う。ＲＦ送受信回路は、携帯無線機１の用途に応じて送信回路のみであってもよいし、受信回路のみであってもよい。筐体３の正面には、携帯無線機１の使用者とのインターフェースとなる表示部５及び操作パネル４、並びに受話装置（スピーカ）６が設けられる。表示部５には、現在選択されている伝送チャンネルの番号表示、電源状態を示すランプ表示、音量表示等が設けられる。操作パネル４には、音量調節ボタンやチャンネル選択ボタン等が設けられる。筐体３の上面には電源スイッチ７が設けられる。
【００１９】
アンテナ２は、アンテナカバー２１、回動部２３、右側突出部２４及び左側突出部２５を備え、アンテナカバー２１の内部には電波の送受信を行うための心臓部となるアンテナコイル２２が収容されている。アンテナカバー２１は、先端側でない一端が開口部２１１となっておりその開口部２１１に回動部２３が嵌め込まれることで、根本部分に回動部２３が結合されている。この結合を行うため、回動部２３のうちアンテナカバー２１と結合される部分の外径は、アンテナカバー２１の開口部２１１へ嵌合可能となるような大きさとされる。回動部２３は、右側方向へ突出した右側突出部２４、及び左側方向へ突出した左側突出部２５を備える。これらのことにより、アンテナ２の根本部分には左右方向へ突出した一対の突出部（すなわち右側突出部２４及び左側突出部２５）が形成されることになる。
【００２０】
回動部２３は、右側回動部２３１と左側回動部２３２とがアンテナポスト２６を挟んで組み合うことで形成される。右側回動部２３１の側面には右側突出部２４が形成されている。アンテナポスト２６の下方側面には左側突出部２５が形成されており、これが左側回動部２３２に設けられた貫通孔を通して回動部２３の外部方向へ突出する。アンテナポスト２６の上方には、アンテナコイル２２が嵌め込まれている。図示しないが、アンテナコイル２２にはＲＦ送受信回路からの給電ケーブルが結合される。
【００２１】
右側突出部２４は右側回動部２３１の表面に円筒形状に設けられ、その円筒形状の内側底面にはスクリューネジ２７を通すための穴（図示せず）が設けられている。この穴から、アンテナポスト２６に設けられたねじ穴２８に向けてスクリューネジ２７が差し込まれることにより、右側回動部２３１とアンテナポスト２６とが螺合される。そして、左側回動部２３２が右側回動部２３１とともにアンテナカバー２１の開口部２１１へ挿入されることで、上記のように、右側回動部２３１と左側回動部２３２とがアンテナポスト２６を挟んだ状態で一体化されて回動部２３となる。
【００２２】
筐体３の背面側には、背面の中心線に沿って上下方向に伸びる溝部３１が形成される。溝部３１は、筐体３の後方９２が開口側となり、アンテナ２を後方９２から取り出し可能に収納する。また、溝部３１は、筐体３の背面に含まれる上辺３９を貫通して、筐体３の上方９１に貫通部３２を形成する。つまり、貫通部３２は、筐体３の上面のうち背面側に形成されることになる。貫通部３２は、アンテナ２が収納解除された際に、アンテナ２が上方９１に向けて筐体３から突き出すための開口部となる。なお、本発明では、筐体３の面のうち貫通部３２の設けられている面の側を上方９１と呼び、溝部３１の開口部の存在する面（貫通部３２の設けられている面を除く。）の側を後方９２と呼ぶ。そして、上方９１と反対側の方向を下方と呼び、後方９２と反対側の方向を前方と呼ぶ。既に述べたように、筐体３の正面には表示部５が設けられるが、これはアンテナ２の反対側である前方側の面に存在することになる。
【００２３】
溝部３１のうち上方９１に位置する壁面３６には、溝部３１を挟むように対向して一対の穴部３４、３５が存在する。つまり、一対の穴部３４、３５は、溝部３１を中心にして一つは左側の壁面３６に、もう一つは右側の壁面３６において対向するように形成される。この一対の穴部３４、３５には、アンテナ２の回動部２３に形成された一対の突出部２４、２５がそれぞれ挿入される。
【００２４】
これにより、アンテナ２は、溝部３１に収納された状態においてその先端が下方を向くことになり、この状態から、回動部２３に存在する一対の突出部２４、２５を回転軸として半円を描くように回動しながら上方９１を向くことが可能になる。つまり、アンテナ２は、回動部２３に存在する一対の突出部２４、２５を回転軸として、筐体３の後方９２側を通過しながら上方９１側と溝部３１との間で回動可能な状態で、筐体３と一体化される。
【００２５】
溝部３１の延長線上に位置する筐体３の下方部分には、利用者がアンテナ２を取り出すための便宜として、アンテナ２の先端に指を掛けることができるように切り欠き部３７が形成される。利用者は、この切り欠き部３７からアンテナ２の先端に指を掛けて、アンテナ２を溝部３１から引き起こして収納解除することができる。
【００２６】
一対の穴部３４、３５は、既に述べたように、溝部３１のうち上方９１に位置する壁面３６に設けられるが、本実施形態では、溝部３１の上端よりも下方側に設けられる。これにより、アンテナ２を回動により溝部３１から取り出して収納解除する際、アンテナ２は、筐体３の上方９１に突き出した姿勢となるのと同じタイミングで、その根本付近が溝部３１の底面３８に当接して回動停止する。このとき、アンテナ２の根本部分である回動部２３は、溝部３１の内側に隠れた状態で存在することになる。アンテナに外部からの力が加わった際に最も破損を生じやすいのは、その力が集中する場所であるのと同時に機械的強度の低い場所でもある、アンテナと筐体との結合部であるといえる。この点、本実施形態では、上記のように、アンテナ２の根本部分である回動部２３が溝部３１の内側に隠れて存在するので、アンテナ２と筐体３との結合部付近が溝部３１の壁面３６や底面３８によって支えられることになり、この箇所における破損を抑制できる。
【００２７】
本実施形態の携帯無線機１では、アンテナ２の根本部分となる回動部２３にて左右方向に突出した一対の突出部２４、２５が設けられ、この一対の突出部２４、２５が溝部３１の上方９１に位置する壁面３６に設けられた一対の穴部３４、３５に挿入されることにより、アンテナ２が筐体３の後方９２側を通過しながら上方９１側と溝部３１との間で回動可能に一体化される。その結果、アンテナ２がその左右両側に存在する突出部２４、２５により支持された、いわゆる「両持ち」の状態で筐体３と一体化されて強度を保つことができるので、例えば一点のみで支持されて筐体の表面と平行に回動するタイプのアンテナに比べて破損を減らすことができる。また、アンテナ２が溝部３１に収納されることで外部の物体がアンテナ２に直接接触することを抑制できるので、アンテナ２の破損を減らすことができる。さらに、アンテナ２は、回動部２３に存在する一対の突出部２４、２５を回転軸として半円を描くように回動しながら収納又は収納解除されるので、アンテナ自体を上下に収縮又は伸長させて収納又は収納解除するタイプのアンテナを用いた場合に比べて、よりコンパクトに収納でき、かつ収納又は収納解除の操作を行う際の破損を減らすことができる。
【００２８】
また、本実施形態の携帯無線機１では、アンテナ２が溝部３１に収納された状態でアンテナ２の先端が下方を向く。これは、収納解除された状態で上方９１向きとなるアンテナ２を回動操作により収納することに対応するものであり、このような収納方法が採用されることにより、上記の通り、アンテナ２をよりコンパクトに収納でき、かつ収納又は収納解除の操作を行う際の破損を減らすことができる。
【００２９】
また、本実施形態の携帯無線機１では、一対の穴部３４、３５が溝部３１の上端よりも下方側に形成され、アンテナ２を回動させて溝部３１から取り出した際に、アンテナ２の根本付近が溝部３１の底面３８に当接することにより、アンテナ２が上方９１へ突出した姿勢で回動停止する。これにより、アンテナ２を収納解除した際に、アンテナ２と筐体３の結合部である回動部２３が溝部３１の内側に隠れて壁面３６や底面３８によって支えられるので、アンテナ２に外部からの力が加わった際の破損が抑制される。
【００３０】
また、本実施形態の携帯無線機１では、使用者とのインターフェースとなる表示部６が、筐体３の前方側の面に存在する。このことは、筐体３において、アンテナ２が表示部６の反対側の面に存在することを意味しており、これによりアンテナ２の収納のために筐体３の高さ方向の長さ全体を活用できることになるので、アンテナ２の長さを十分に確保することができるようになる。
【００３１】
以上、具体的な実施形態を示して本発明を説明したが、本発明は上記の実施形態に何ら限定されることはなく、本発明の範囲において適宜変更を加えて実施をすることができる。
【００３２】
例えば、上記の実施形態では、アンテナ２を収納するための溝部３１が筐体３の背面の中心線に沿って上下方向に伸びるように形成されていたが、溝部は、背面の中心線から外れた箇所に形成されてもよい。
【００３３】
また、上記の実施形態では、アンテナ２を収納するための溝部３１が筐体３の背面側に形成されていたが、溝部は、例えば筐体の側面や正面等、いずれの面に形成されていてもよい。
【００３４】
また、上記の実施形態では、利用者がアンテナ２を取り出すための便宜として、アンテナ２の先端に指を掛けることができるように切り欠き部３７が形成されていたが、これとは別の手段を用いてアンテナを取り出すための便宜としてもよい。このような便宜として、例えば、収納状態であるアンテナの回動部を下方へ押し込んでからアンテナを回動させることのできる機構を導入し、押し込んだ際にアンテナの先端部が筐体の下方から突き出すような構成としてもよい。この場合、筐体の下方から突き出したアンテナの先端部に指を掛けて、アンテナを引き起こして回動させることができる。
【００３５】
また、アンテナ２が溝部３１に収納された状態でこれが意図せぬ状況で収納解除されないように、溝部３１の後方９２側の端部にて溝部３１を挟むように対向した一対の小さな突起を設けてもよい。こうすると、アンテナ２が溝部３１に収納された状態にて、上記一対の小さな突起がアンテナ２を固定してその予期せぬ収納解除を抑制する一方で、使用者がアンテナ２を収納解除する際には、アンテナ２が上記一対の小さな突起を乗り越えて容易に収納解除されるようになる。アンテナ２を収納解除された状態から収納された状態にするときも同様であり、利用者がアンテナ２を溝部３１へ押し込むことにより、アンテナ２が上記一対の小さな突起を乗り越えて溝部３１へ収納される。
【００３６】
また、上記の実施形態では、受話装置６としてスピーカが用いられているが、受話装置はイヤホン等であってもよい。
【符号の説明】
【００３７】
１    携帯無線機
２    アンテナ
２４  右側突出部
２５  左側突出部
３    筐体
３１  溝部
３２  貫通部
３４、３５  穴部
３６  壁面
３８  底面
５    表示部
９１  上方
９２  後方
【図１】
2015154366.tif 000003
【図２】
2015154366.tif 000004
【図３】
2015154366.tif 000005
【図４】
2015154366.tif 000006
【図５】
2015154366.tif 000007